(57)【要約】      （修正有）【課題】製版済みマスタを確実に溜め箱内に収容すること。【解決手段】製版済みマスタの表面を押圧して溜め箱内に案内する溜め込み補助軸１４ａと、溜め込み補助軸１４ａを搬送済みマスタの上方で保持しつつ製版済みマスタの溜め込みタイミングで溜め込み補助軸１４ａを下降させる保持手段１４ｂとで構成される案内機構１４を備え、製版済みマスタの溜め込みが開始されると、保持手段１４ｂを解除して溜め込み補助軸１４ａを製版済みマスタの表面に落下させて溜め箱に押し込んで、該マスタの搬送方向を溜め箱内に案内する。【選択図】図１
2017170631.tif 000002
【特許請求の範囲】
【請求項１】
マスタロールから搬送されたマスタを製版する製版手段と、
開口を有し、マスタ搬送経路の下方において前記製版手段で製版された製版済みマスタを一時的に溜め込む溜め箱と、
を備えた製版装置において、
装置筐体に設けられ、前記製版済みマスタが前記溜め箱に溜め込まれる溜め込みタイミングで前記製版済みマスタを前記溜め箱の開口から内方に向けて押し込んで案内する案内機構を備えたことを特徴とする製版装置。
【請求項２】
前記案内機構は、
鉛直方向に移動可能であり、前記溜め箱の開口上方を搬送される前記製版済みマスタの表面を押圧して、前記溜め箱の開口から内方に向けて押し込む溜め込み補助軸と、
前記溜め込みタイミング以外のときは前記製版済みマスタの上方で前記溜め込み補助軸を保持し、前記溜め込みタイミングとなったときは前記溜め込み補助軸の保持を解除して前記製版済みマスタの表面に落下させる保持手段と、
を備えることを特徴とする請求項１記載の製版装置。
【発明の詳細な説明】
【技術分野】
【０００１】
本発明は、サーマルヘッドを用いて孔版原紙に感熱穿孔して製版画像を製版する製版装置に関するものである。
【背景技術】
【０００２】
従来より、多数の発熱素子が配列されてなるサーマルヘッドと、熱可塑性樹脂フィルムと多孔性支持体とを貼り合わせた帯状の感熱孔版原紙（以下、「マスタ」という）をサーマルヘッドとの間でニップ搬送するプラテンローラとを有する製版手段を備え、サーマルヘッドの発熱面にマスタのフィルム面側を圧接させた状態でプラテンローラとニップさせ、画像データに基づき各発熱素子を発熱駆動させたサーマルヘッドとマスタとを発熱素子の配列方向である主走査方向と直交する副走査方向に相対移動させてマスタに画像データに応じた穿孔画像を形成する製版装置が知られている。
【先行技術文献】
【特許文献】
【０００３】
【特許文献１】実開平５−６５５５７号公報
【発明の概要】
【発明が解決しようとする課題】
【０００４】
従来の製版装置では、製版動作中に印刷動作又は排版動作を同時に実施して印刷時間の短縮を図れるようにするため、マスタの搬送経路中における製版手段の後段に製版済みマスタを一時的に収容する溜め箱を設けている。
【０００５】
通常、製版済みマスタは、製版後にプラテンローラによって後段へと搬送される溜め箱に収容されるが、搬送中にマスタ幅方向への皺が入ったり、静電気よって搬送経路中の搬送ガイド板に張り付いたりして溜め箱に正しく入らず、プラテンローラ近傍で蛇腹状に留まってしまうことがある。
【０００６】
印刷ドラムに着版されるマスタの送り量はプラテンローラの回転量によって規定されるため、所定量搬送した時点で搬送が停止するが、上記のように蛇腹状になったマスタを印刷ドラムに着版する場合、蛇腹状の部分が考慮されずに通常の搬送量分だけ搬送されるため、通常よりも短い状態で着版されてしまい、不要なベタ部が発生した異常画像が印刷されるという問題が起こってしまう。
【０００７】
そこで、特許文献１に開示される装置では、上下方向に揺動自在な圧板における溜め箱の開口上方付近に、製版済みマスタを溜め箱に案内するガイド部材を設け、搬送された製版済みマスタが正しく溜め箱内に収容されるようにしている。
【０００８】
しかしながら、特許文献１の装置では、ガイド部材の他、サーマルヘッドや上側送り出しローラなどが圧板に全て設置されて大型である。また、ガイド部材が溜め箱の開口よりも下方に延設されているため、マスタ先端を印刷ドラムの手前の送り出しローラまでセットする際に、その都度、圧板を開放してガイド部材の下を通してマスタをセットしなければならず簡便に行えないという問題があった。
【０００９】
そこで、本発明は上記問題点に鑑みてなされたものであり、簡易的な構成で製版済みマスタを確実に溜め箱内に収容させることのできる製版装置を提供することを目的とするものである。
【課題を解決するための手段】
【００１０】
上記した目的を達成するため、本発明に係る第１の態様は、マスタロールから搬送されたマスタを製版する製版手段と、
開口を有し、マスタ搬送経路の下方において前記製版手段で製版された製版済みマスタを一時的に溜め込む溜め箱と、
を備えた製版装置において、
装置筐体に設けられ、前記製版済みマスタが前記溜め箱に溜め込まれる溜め込みタイミングで前記製版済みマスタを前記溜め箱の開口から内方に向けて押し込んで案内する案内機構を備えたことを特徴とする、製版装置である。
【００１１】
本発明に係る第２の態様は、第１の態様に係る製版装置において、前記案内機構は、
鉛直方向に移動可能であり、前記溜め箱の開口上方を搬送される前記製版済みマスタの表面を押圧して、前記溜め箱の開口から内方に向けて押し込む溜め込み補助軸と、
前記溜め込みタイミング以外のときは前記製版済みマスタの上方で前記溜め込み補助軸を保持し、前記溜め込みタイミングとなったときは前記溜め込み補助軸の保持を解除して前記製版済みマスタの表面に落下させる保持手段と、
を備えることを特徴とする、製版装置である。
【発明の効果】
【００１２】
第１、第２の態様に係る製版装置によれば、案内機構が圧板と別体であるためマスタをセットする際に圧板を開放する必要がなく、また製版済みマスタの溜め込みが開始されると、保持手段を解除して溜め込み補助軸を製版済みマスタの表面に落下させて溜め箱の内方向けて押し込んで該マスタの搬送方向が溜め箱内に案内されるため、製版済みマスタを確実に溜め箱内に収容することができる。
【００１３】
また、製版済みマスタの溜め込みタイミングで溜め込み補助軸を単に製版済みマスタに自由落下させ、落下後の溜め込み補助軸は製版済みマスタの着版処理によるマスタのテンションによって元の位置まで戻る構成であるため、構造が簡易的であり、溜め込み部分の搬送経路も短くなって装置全体の小型化が図れる。
【図面の簡単な説明】
【００１４】
【図１】本発明に係る製版装置を側面からみた概略構成図である。
【図２】同装置を平面からみた概略構成図である。
【図３】同装置の案内機構における製版済みマスタの溜め込み前の状態を示す概略構成図である。
【図４】同装置の案内機構における溜め込み補助軸解除時の状態を示す概略構成図である。
【図５】同装置の案内機構における製版済みマスタを溜め箱内に案内している状態を示す概略構成図である。
【図６】同装置の着版処理後の案内機構の状態を示す概略構成図である。
【発明を実施するための形態】
【００１５】
以下、本発明を実施するための形態について、添付した図面を参照しながら詳細に説明する。また、この実施の形態によって本発明が限定されるものではなく、この形態に基づいて当業者等により考え得る実施可能な他の形態、実施例及び運用技術等は全て本発明の範疇に含まれるものとする。
【００１６】
なお、本明細書において、添付する各図を参照した以下の説明において、方向乃至位置を示すために上、下、左、右の語を使用した場合、これはユーザが各図を図示の通りに見た場合の上、下、左、右に一致する。
【００１７】
また、各図においてマスタの搬送方向（例えば、図１における図中右側から左側に向かう水平方向）を「マスタ搬送方向Ａ」とし、このマスタ搬送方向Ａと直交する水平方向（例えば、図１における紙面手前側から奥行きへの方向であり、例えばマスタロール１６の回転軸や溜め込みローラ１２における搬送ローラの軸線方向と同一方向）を「マスタ幅方向Ｂ」として定義する。
【００１８】
まず、本発明に係る製版装置１の構成について、図１、２を参照しながら説明する。
本発明に係る製版装置１は、外部から取り込んだ製版情報、又は原稿を読み込んで得た画像データから作成した製版情報に基づき、後述する製版手段１１で熱可塑性樹脂フィルムと多孔性支持体とを貼り合わせた感熱孔版原紙（以下、「マスタＭ」という）をマスタ搬送方向Ａに沿ってニップ搬送しながら感熱穿孔して製版する装置である。
【００１９】
図１又は図２に示すように、製版装置１は、製版手段１１と、溜め込みローラ１２と、溜め箱１３と、案内機構１４と、送り出しローラ１５とを備えて構成される。
【００２０】
また、製版装置１の上流側には、回動自在となるように所定位置に設けられ繰り出し可能とされたロール状のマスタＭであるマスタロール１６を備えている。
【００２１】
製版手段１１は、多数の発熱素子がマスタ幅方向Ｂに並列されたサーマルヘッド１１ａと、所定速度で回転駆動しながらマスタＭを下流側に搬送するプラテンローラ１１ｂとで構成されている。
【００２２】
製版手段１１は、マスタロール１６から順次繰り出されたマスタＭを、サーマルヘッド１１ａとプラテンローラ１１ｂとの間でニップし、このニップした状態でマスタを搬送しながらサーマルヘッド１１ａに設けた発熱素子により印刷データに基づく製版画像を感熱穿孔する。
【００２３】
また、サーマルヘッド１１ａは、支点軸１７ａを支点として開閉方向（図中上下方向）に揺動自在な圧板１７に設けられている。
【００２４】
本装置では、圧板１７が開放されている状態においてサーマルヘッド１１ａが減圧された状態となり、圧板１７が閉止されている状態においてサーマルヘッド１１ａが加圧された状態となる。
【００２５】
そのため、サーマルヘッド１１ａを加圧状態とする場合は、開放された状態の圧板１７を図中下方に揺動させて圧板１７を閉止させることで、サーマルヘッド１１ａの発熱面がプラテンローラ１１ｂのローラ面とが当接して加圧状態となる。
また、サーマルヘッド１１ａを減圧された状態とする際は、閉止された状態の圧板１７を図中上方向に揺動させて開放させることで、加圧状態にあるサーマルヘッド１１ａの発熱面がプラテンローラ１１ｂのローラ面から離隔して減圧状態となる。
【００２６】
溜め込みローラ１２は、製版手段１１によって製版された製版済みマスタＭを本ローラの下流側にある溜め箱１３まで搬送する搬送手段である。本実施形態では、製版済みマスタＭの表裏面をニップして搬送する一対の搬送ローラで構成され、製版装置１の筐体に設けられている。
【００２７】
溜め箱１３は、マスタ搬送経路側に開口する開口１３ａが形成され、マスタ搬送経路の下方における溜め込みローラ１２と送り出しローラ１５との間に配置されている。溜め箱１３は、製版手段１１で製版された製版済みマスタＭを一時的に収容する。
【００２８】
案内機構１４は、製版済みマスタＭの表面を押圧して溜め箱１３内に案内する溜め込み補助軸１４ａと、溜め込み補助軸１４ａを製版済みマスタＭの上方で保持しつつ製版済みマスタＭの溜め込みタイミングで溜め込み補助軸１４ａを下降させる保持手段１４ｂとを備え、製版装置１の筐体に設けられている。
【００２９】
溜め込み補助軸１４ａは、例えば丸棒やローラのようなマスタＭの幅よりも長尺な円柱形状をなす部材である。本実施形態では、マスタＭの搬送を妨げないように表面が滑らかなアルミ製の棒材を用いている。
【００３０】
溜め込み補助軸１４ａは、製版済みマスタＭの上方においてマスタ幅方向Ｂに沿って略水平な状態で保持手段１４ｂにより保持されている。そして、所定のタイミング（例えば、送り出しローラ１５による製版済みマスタＭの搬送が終了して次回の製版処理が開始され製版済みマスタの溜め込みを開始するタイミング）で保持手段１４ｂによる保持が解除されると、マスタ搬送方向Ａと直交する鉛直方向（上下方向）に形成された長孔１４ｃに沿って自由落下して製版済みマスタＭを溜め箱１３内に押し込むようになっている。これにより、製版済みマスタＭの搬送方向が溜め箱１３内へと案内され、該箱１３に確実に収容されるようになる。
【００３１】
なお、溜め込み補助軸１４ａの材質としては、本実施形態で使用されるアルミのような軽量な金属の他、や一般的な合成樹脂を用いて成形され、マスタＭの強度にもよるが、少なくともマスタＭに載置したときにマスタＭが破れない程度の重さ（例えば１００ｇ）とする。
【００３２】
保持手段１４ｂは、ソレノイドなどのアクチュエータからなり支軸１４ｄに対してエネルギー（動力）を進退方向（マスタ搬送方向Ａ）への駆動力として伝達する駆動手段１４ｅと、溜め込み補助軸１４ａを保持する保持爪１４ｆを有し支軸１４ｄに揺動自在に支持されるレバー１４ｇと、駆動手段１４ｅの下方でレバー１４ｇの一部をマスタ搬送方向Ａに付勢する付勢手段１４ｈとで構成されている。
【００３３】
保持手段１４ｂは、図２に示すように、溜め込み補助軸１４ａの両側端部を支持するように、マスタ搬送経路から外れた位置で製版装置１の筐体に設置されている。
【００３４】
なお、図２では、駆動手段１４ｅを２つ備えた構成であるが、駆動手段１４ｅを片側一方にとし、この駆動手段１４ｅと、溜め込み補助軸１４ａの両側端部を支持する２つのレバー１４ｇとを連結部材で連結させることで、１つの駆動手段１４ｅで２つのレバー１４ｇを同時に揺動させることができる。
【００３５】
また、保持爪１４ｆは、図１に示すように製版装置１を側面視したときにマスタ搬送経路よりも下方にくるように駆動手段１４ｅ及びレバー１４ｇが配置されている。
【００３６】
ここで、製版処理中における案内機構１４の動作について説明する。
例えば着版時やマスタ搬送時において、保持手段１４ｂは、図３に示すように駆動手段１４ｅの駆動を停止（ＯＦＦ）したまま付勢手段１４ｈによる付勢力によってレバー１４ｇの姿勢を略鉛直方向に沿った状態で維持され、この状態で溜め込み補助軸１４ａを支持する。
【００３７】
また、溜め込み補助軸１４ａで製版済みマスタＭを溜め箱１３内に案内するときは、図４に示すように駆動手段１４ｅを駆動して付勢手段１４ｈによる付勢力に抗して支軸１４ｄをマスタ搬送方向Ａに引いて後退させ、保持爪１４ｆによる溜め込み補助軸１４ａの保持を解除する。これにより、溜め込み補助軸１４ａは長孔１４ｃに沿って自由落下により落下して製版済みマスタＭを溜め箱１３内に押し込んで搬送方向を箱内に案内する。
【００３８】
さらに、保持手段１４ｂは、溜め込み補助軸１４ａを落下させた後、溜め箱１３に収容された製版済みマスタＭの着版動作が開始されるまでの間に駆動手段１４ｅをＯＮからＯＦＦへと切り替え、後退させた支軸１４ｄを進出させてレバー１４ｇの姿勢を図３に示す状態に戻す。
【００３９】
この状態で印刷ドラム１００への着版処理が開始されると、製版済みマスタＭは、印刷ドラム１００に巻回され引っ張られることでマスタＭにテンションが加わりながら徐々に溜め箱１３内からマスタ搬送経路まで引き上げられる。溜め込み補助軸１４ａは、引き上げられた製版済みマスタＭによって開口１３ａを超えて上昇し、この上昇に伴って付勢手段１４ｈによる付勢力に抗してレバー１４ｇの保持爪１４ｆをマスタ搬送方向Ａと反対方向に移動させる。
その後、溜め込み補助軸１４ａがマスタ搬送経路の高さまで持ち上げられると、付勢手段１４ｈの付勢力によってレバー１４ｇの姿勢が元に戻って保持爪１４ｆで保持された状態、つまり図３に示す状態へと戻る。
【００４０】
送り出しローラ１５は、印刷ドラム１００に製版済みマスタＭを送出するための搬送手段である。本実施形態では、製版済みマスタＭの表裏面をニップして搬送する一対の搬送ローラで構成され、製版装置１の筐体に設けられている。
【００４１】
次に、上述した構成を有する製版装置１における製版処理時の一連の動作について説明する。
以下の動作では、マスタロール１６から繰り出したマスタＭをセットしてから着版処理が実施されるまでの間の一連の動作例であり、案内機構１４の動作については、図３〜図６を適宜参照して説明する。
【００４２】
まず、圧板１７を開放してマスタロール１６から繰り出したマスタＭを送り出しローラ１５まで繰り出してセットした状態で、サーマルヘッド１１ａが加圧状態となるように圧板１７を再び閉止する。
【００４３】
次に、製版処理が開始されると、マスタロール１６から繰り出されたマスタＭは、製版手段１１で印刷データに基づく製版画像が感熱穿孔される。そして、製版されたマスタＭは溜め込みローラ１２によって搬送される。
【００４４】
また、製版処理と同時に製版済みマスタＭの溜め込み処理も開始されるため、図４に示すように、保持手段１４ｂの駆動手段１４ｅをＯＮして支軸１４ｄを後退させ、保持爪１４ｆによる溜め込み補助軸１４ａの保持を解除させる。溜め込み補助軸１４ａは、自由落下して製版済みマスタＭの表面に載置されると、そのまま自重によって該マスタを溜め箱１３内に押し込んでいく。これにより、製版済みマスタＭは、送り出しローラ１５が停止した状態で溜め込みローラ１２により搬送されることで、図５に示すように溜め込み補助軸１４ａの案内によって徐々に溜め箱１３内に収容されるようになる。
【００４５】
次に、溜め箱１３内に収容された製版済みマスタＭを印刷ドラム１００に着版する処理に移行すると、溜め箱１３内に収容された製版済みマスタＭは、送り出しローラ１５によって印刷ドラム１００へと搬送される。
【００４６】
また、この搬送に伴い、溜め箱１３内に収容された製版済みマスタＭは、印刷ドラム１００に巻回され引っ張られることでマスタＭにテンションが加わりながら徐々に溜め箱１３内からマスタ搬送経路まで引き上げられる。
【００４７】
溜め込み補助軸１４ａは、引き上げられる製版済みマスタＭによって開口１３ａを超えて上昇し、この上昇に伴って保持爪１４ｆをマスタ搬送方向Ａと反対方向に移動させる。その後、製版済みマスタＭの着版処理が終了すると、溜め込み補助軸１４ａは、マスタ搬送経路の高さまで持ち上げられると、図６に示すように保持爪１４ｆで保持された状態となる。
【００４８】
以上説明したように、上述した製版装置１は、製版済みマスタＭの溜め込みが開始されると、保持手段１４ｂを解除して溜め込み補助軸１４ａを製版済みマスタＭの表面に落下させて溜め箱１３に押し込んで、該マスタＭの搬送方向を溜め箱１３内に案内するため、製版済みマスタＭを確実に溜め箱１３内に収容することができる。
【００４９】
また、製版済みマスタＭの溜め込みタイミングで溜め込み補助軸１４ａを単に製版済みマスタＭに自由落下させ、落下後の溜め込み補助軸１４ａは製版済みマスタＭの着版処理によるマスタＭのテンションによって元の位置まで戻る構成であるため、構造が簡易的であり、溜め込み部分の搬送経路も短くなって装置全体の小型化が図れる。
【００５０】
さらに、案内機構１４が圧板１７と別体であり、製版装置１の構成要素のうち圧板１７にはサーマルヘッド１１ａのみが配設されているため、従来装置のようにマスタ搬送経路中にある溜め込みローラ１２の上側ローラ、案内機構１４、送り出しローラ１５の上側ローラなどの各構成要素が設けられていないため、圧板１７をコンパクトにすることができる。
【符号の説明】
【００５１】
１…製版装置（１ａ…取付片）
１１…製版手段（１１ａ…サーマルヘッド、１１ｂ…プラテンローラ）
１２…溜め込みローラ
１３…溜め箱（１３ａ…開口）
１４…案内機構（１４ａ…溜め込み補助軸、１４ｂ…保持手段、１４ｃ…長孔、１４ｄ…支軸、１４ｅ…駆動手段、１４ｆ…保持爪、１４ｇ…レバー、１４ｈ…付勢手段）
１５…送り出しローラ
１６…マスタロール
１７…圧板
【図１】
2017170631.tif 000003
【図２】
2017170631.tif 000004
【図３】
2017170631.tif 000005
【図４】
2017170631.tif 000006
【図５】
2017170631.tif 000007
【図６】
2017170631.tif 000008